(57)【要約】【課題】  低い部分と高い部分との間を昇降する際、安定性が良好で事故の発生する可能性が低い梯子構造を提供すること。【解決手段】  梯子と、梯子上部固定用架台とからなり、梯子の両脚には固定用連結ピンを挿入する孔が設けられており、上記架台はベース部材とその両端部に立設されかつ連結ピンを挿入する孔が設けられた支柱とからなり、上記梯子の両脚の孔と上記支柱の孔に連結ピンを挿入して、梯子を安定させるようにしたことを特徴とする梯子構造。【選択図】  図１
2006077462.tif 000002
【特許請求の範囲】
【請求項１】
梯子と、梯子上部固定用架台とからなり、梯子の両脚には固定用連結ピンを挿入する孔が設けられており、上記架台はベース部材とその両端部に立設されかつ連結ピンを挿入する孔が設けられた支柱とからなり、上記梯子の両脚の孔と上記支柱の孔に連結ピンを挿入して、梯子を安定させるようにしたことを特徴とする梯子構造。
【請求項２】
ベース部材と、その両端部に立設されかつ連結ピンを挿入する孔が設けられた支柱とからなることを特徴とする梯子上部固定用架台。
【発明の詳細な説明】
【技術分野】
【０００１】
本発明は、梯子構造に関し、さらに詳しくは各種工事現場などにおいて縦穴などの如く、低い個所と高い個所との間を昇降する際、安全に昇降可能でかつ組み立て、解体および持ち運びが容易である梯子構造および梯子上部固定用架台に関する。
【背景技術】
【０００２】
従来、各種工事現場などにおいては縦穴、溝、高低差の大きい個所の昇降には、通常の梯子が使用されている。例えば、地下貯槽などを形成する際には図４に示すように、底部４１から高部４２の開口部の端部に梯子４３をかけて作業者が昇降しているが、底部４１が柔らかい土であったり、滑り易い面であったり、開口部の端部がコンクリートなどである場合、さらには梯子の角度が大である場合などにおいて、梯子の安定性が低く事故が発生する畏れがある。
【発明の開示】
【発明が解決しようとする課題】
【０００３】
本発明の目的は、上記の如き低い部分と高い部分との間を昇降する際、安定性が良好で事故の発生する可能性が低い梯子構造を提供することである。
【課題を解決するための手段】
【０００４】
上記目的は以下の本発明によって達成される。すなわち、本発明は、梯子と、梯子上部固定用架台とからなり、梯子の両脚には固定用連結ピンを挿入する孔が設けられており、上記架台はベース部材とその両端部に立設されかつ連結ピンを挿入する孔が設けられた支柱とからなり、上記梯子の両脚の孔と上記支柱の孔に連結ピンを挿入して、梯子を安定させるようにしたことを特徴とする梯子構造を提供する。
【０００５】
また、本発明は、ベース部材と、その両端部に立設されかつ連結ピンを挿入する孔が設けられた支柱とからなることを特徴とする梯子上部固定用架台を提供する。
【発明の効果】
【０００６】
本発明によれば、梯子の上部を架台に固定することにより、梯子を安定させ、昇降時の作業者の事故を防ぐことができる。
【発明を実施するための最良の形態】
【０００７】
次に好ましい実施の形態を示す図面を参照して本発明をさらに詳しく説明する。図４は従来の梯子４３を低い個所４１から高い個所４２にかけた状態を示している。図示の場合には、梯子４３は底部４１の地面に脚部の下端が接地しており、梯子４３の上部は高部４２の端部に接触して、２点で支持されている。このような状態で底部４１の地面および高部４２の端部の表面が滑り易かったり、軟弱である場合に、作業者などの荷重がかかった場合、梯子が不安定である。不安定である状態で作業者が昇降することは危険であり、梯子の下部または上部において他の作業者が梯子を保持したり、地面にパイプなどを打ち込み、アンカーとして梯子と緊結するなどして危険を防止している。
【０００８】
本発明は、このような梯子の不安定性を解消するものである。図３に示すように、本発明では、梯子３３の上部を簡便な架台３４で固定する。このように固定することにより、梯子３３はその下端３１、高部３２との接点および架台３４の３点で保持されており、底部表面３１および高部端部３２が滑り易かったり、軟弱であっても梯子３３は安定に保持され、作業者が安心して昇降することができる。
【０００９】
図１および図２は、本発明における架台と梯子との関係を説明する図である。図１の符号１，１’は梯子の両脚の上方を示し、符号２は両脚間に掛け渡されたステップを示す。符号３，３’（３’は図面上表わされていない）は、両脚１，１’に設けられた孔を示している。該連結孔３，３’は梯子の最上のステップの位置に設けることは必須ではなく、上方から２ステップ以下のステップの位置にも設けていてもよい。このようにすれば、底部と高部との種々の高低差に対応可能である。これらの孔３，３’は両脚１，１’の間にパイプを固定してステップ２を構成している従来公知の梯子であれば、該パイプの両端が孔３，３’となるので特別に設ける必要はない。従って本発明では、パイプをステップに使用している従来公知のアルミニウム製の梯子を利用するのが好ましいが、ステップが中空になっており、その両端に開口部３，３’が設けられていれば、梯子自体は鉄製でも木製でもよい。
【００１０】
上記梯子の上方を固定する架台は、ベース部材４とその両端部に立設されかつ連結ピン５を挿入する孔６，６’が設けられた支柱７，７’とからなっている。孔６，６’は、両脚１，１’の孔３，３’と同様な径で同じ位置関係にある。ベース部材４と支柱７，７’とは、両者がともに金属製である場合には溶接などの方法で固定されており、ベース部材４は地面８に置かれており、該架台は持ち運び可能である。なお、ベース部材４および支柱７，７’は、鉄やアルミニウムなどの金属製でもよいし、木製でもよい。
【００１１】
図２は、連結ピン５により梯子と架台とを連結した状態を示している。すなわち、高部８の端部の表面に架台を置き、架台の左右の支柱７，７’間に梯子の両脚１，１’を位置させ、支柱に設けられた連結孔６，６’と梯子の両脚１，１’に設けられた連結孔３，３’（パイプステップの両端の孔）とを位置合わせして、連結孔６，６’と連結孔３，３’中に連結ピン５を挿通させ、必要に応じて連結ピン５の一方の端部をナット９（図１参照）で固定し、梯子の上部と架台とが連結される。このように梯子と架台を連結させることによって梯子は安定し、作業者が該梯子を昇降しても落下する危険はない。
【００１２】
また、梯子を他の場所で使用する場合には、連結ピンを抜き、梯子と架台とを解体して移動させ、別の場所で組み立てて使用してもよいし、梯子と架台とを連結状態のまま移動させて他の場所で使用することも可能である。
【産業上の利用可能性】
【００１３】
以上の如き本発明によれば、作業者は安心して梯子上を昇降できる。
【図面の簡単な説明】
【００１４】
【図１】本発明の梯子構造と梯子上部固定用架台とを説明する図。
【図２】本発明の梯子構造と梯子上部固定用架台とを説明する図。
【図３】本発明の梯子構造と梯子上部固定用架台とを説明する図。
【図４】従来の梯子の使用を説明する図。
【符号の説明】
【００１５】
１，１’：梯子の両脚
２：ステップ
３，３’：孔
４：ベース部材
５：連結ピン
６，６’：孔
７，７’：支柱
８：地面
９；ナット
【図１】
2006077462.tif 000003
【図２】
2006077462.tif 000004
【図３】
2006077462.tif 000005
【図４】
2006077462.tif 000006